(57)【要約】【課題】  既設の水洗便器や、本来的には便器自動洗浄機能を備えていない水洗便器に対しても、施工性よく取付けることができ、しかも取付け後の外観性、掃除性等に優れた便器自動洗浄装置を提供する。【解決手段】  便座部２０に配設された着座センサからの信号によって便器ボウル面を自動洗浄する装置であって、便座部本体２１とこの便座部本体２１を便器１０に連結固定する結合部材３１からなり、便座部本体２１は着座センサからの信号線に接続した便座端子を有し、結合部材３１は洗浄水制御部１１への信号線４１を接続した結合部材端子を有しており、結合部材３１によって便座部本体２１と便器１０が連結固定されると便座端子と結合部材端子とが接触して着座センサの信号が洗浄水制御部１１へ入力される。【選択図】図１
2006299744.tif 000002
【特許請求の範囲】
【請求項１】
便座部に配設された着座センサからの信号によって便器ボウル面を自動洗浄する装置であって、便座部本体とこの便座部本体を便器に連結固定する結合部材からなり、便座部本体は着座センサからの信号線に接続した便座端子を有し、結合部材は洗浄水制御部への信号線を接続した結合部材端子を有しており、結合部材によって便座部本体と便器が連結固定されると便座端子と結合部材端子とが接触して着座センサの信号が洗浄水制御部へ入力されることを特徴とする便器自動洗浄装置。
【請求項２】
結合部材が固定ボルトであって、結合部材端子が固定ボルト上端面に設けられている請求項１の便器自動洗浄装置。
【請求項３】
結合部材が固定プレートであって、結合部材端子が固定プレートの上端面に設けられている請求項１の便器自動洗浄装置。
【発明の詳細な説明】
【技術分野】
【０００１】
本願発明は、便器に配設された着座センサからの信号によって便器ボウル面を自動洗浄する装置に関するものである。さらに詳しくは、着座センサによる便器自動洗浄の制御機能を備えた便座装置であって、既存の便器に後付設置する場合等に適した便器自動洗浄装置に関するものである。
【背景技術】
【０００２】
便座に設けた着座センサによって便座への人体の着座を感知し、着座後の一定時間の後に便器ボウル面へ便器洗浄水を自動的に吐出させる便器自動洗浄便器が知られている。また便器使用者の存在を感知する人体検知センサと着座センサとを併用し、人体検知センサと着座センサの双方の信号によって大用便に要する便器洗浄水を吐出させ、人体検知センサの信号のみの場合には小用便に要する便器洗浄水を吐出させるようにした自動水洗便器装置（例えば特許文献１）も提案されている。
【０００３】
また、着座センサが人体を感知した時のみ温水衛生洗浄水を噴出させる温水洗浄便座（例えば特許文献２）も知られているが、この温水洗浄便座の着座センサの信号を、温水衛生洗浄と、便器自動洗浄の両方に利用する便器装置も提案されている。
【特許文献１】特開平６−３０６９１４号公報
【特許文献２】特開平５−１５４７３号公報
【発明の開示】
【発明が解決しようとする課題】
【０００４】
着座センサの信号によって温水衛生洗浄を制御するとともに、便器の自動洗浄を制御することのできる温水便座装置は、衛生面や利便性のみならず、節水や節電の点からも優れた性能を有するものである。しかも、単一の着座センサの信号を同一の制御回路によって温水衛生洗浄と便器洗浄に振り分けて処理することができるため、装置構成も簡略化することができる。
【０００５】
しかしながら、そのような着座センサ付きの温水洗浄便座を、例えば既設の水洗便器に設置する場合や、あるいは便器自動洗浄のための洗浄水制御部を持たない便器と組み合わせて施工する場合には、例えば図４に例示したように、便座Ａから外部に露出したケーブルＢを介して洗浄水制御部Ｃに着座センサの信号を入力する必要があった。このため、ケーブルＢの外付けによる施工工程の付加、ケーブルＢの露出による外観性の低下といった問題が存在した。また、便座ＡにケーブルＢが接続固定されるため、便座Ａの可動範囲が制限されることによる掃除性の悪さといった問題も存在した。
【０００６】
本願発明は、以上のとおりの従来技術における問題点を解消し、例えば既設の水洗便器や、本来的には便器自動洗浄機能を備えていない水洗便器に対しても、施工性よく取付けることができ、しかも取付け後の外観性、掃除性等に優れた便器自動洗浄装置を提供することを課題としている。
【課題を解決するための手段】
【０００７】
本願発明の便器自動洗浄装置は、第１には、便座部に配設された着座センサからの信号によって便器ボウル面を自動洗浄する装置であって、便座部本体とこの便座部本体を便器に連結固定する結合部材からなり、便座部本体は着座センサからの信号線を接続した便座端子を有し、結合部材は洗浄水制御部への信号線を接続した結合部材端子を有しており、結合部材によって便座部本体と便器が連結固定されると便座端子と結合部材端子とが接触して着座センサの信号が洗浄水制御部へ入力されることを特徴とする。
【０００８】
また、本願発明の自動洗浄装置は、第２には、前記結合部材が固定ボルトであって、結合部材端子が固定ボルト上端面に設けられていることを特徴とする。
【０００９】
あるいはまた、本願発明の便器自動洗浄装置は、第３には、前記結合部材が固定プレートであって、結合部材端子が固定プレートの上端面に設けられていることを特徴とする。
【発明の効果】
【００１０】
本願第１発明の便器自動洗浄装置によれば、便座を便器に連結固定するという通常の施工によって、着座センサの信号を洗浄水制御部に入力するための信号線を便器内部に通線することが可能である。このため従来技術では不可欠であった余分な施工工程が省略され、施工性が向上する。また着座センサから洗浄水制御部への信号線は便器内部に通線されるため、便器全体の外観性が損なわれるこのともなく、便座の可動範囲が信号線によって制限されることもないので、掃除性も良好である。
【００１１】
本願第２、第３発明によれば、確実に便座を便器に連結固定するとともに、着座センサからの信号線と便器内部への信号線との接点を簡便施工によって達成することが可能となる。
【発明を実施するための最良の形態】
【００１２】
本願発明は、前記のとおりの特徴を有するものであるが、以下に、発明を実施するための最良の形態を図１、２、３を参照して説明する。
【００１３】
図１は、本願発明の便器自動洗浄装置を備えた便器構成の一実施例を示した側面図である。
【００１４】
この図１に例示した便器構成においては、便器１０に便座部２０が連結固定されている。便座部２０は、便座部本体２１に便座カバー２１および便座２２が開閉自在に連結されている。便座部２０には、例えば便座２２への加重や静電容量の変化で人体の着座を検出す着座センサ、あるいは人体に向けて赤外光を放射し、人体からの反射光の光量や反射角度で着座の有無を検出する着座センサ（いわゆる赤外式の光電センサ）等が、センサの種類に応じて適した位置に設置されている。この着座センサは、その信号によって便器ボウル面洗浄を制御するためのものであるが、さらに温水衛生洗浄や温風の作動を制御するためのものであってもよい。
【００１５】
そして、この便座部２０は、その便座部本体２１が、結合部材としての固定ボルト３１によって便器１０と連結固定されているが、この固定ボルト３１には洗浄水制御部１１に導通する信号線４１が接続しており、固定ボルト３１によって便器１０と便座部本体２１が連結固定されると、便座部２０の着座センサからの信号が、便器１０内に設置された洗浄水制御部１１に入力可能な状態となる。
【００１６】
すなわち、図２に模式的に例示したように、便座部本体２１には、固定ボルト３１の上端部が接着する面に便座端子５１が設けられており、この便座端子５１からは着座センサ６０に連通する信号線４２が接続している。一方、固定ボルト３１の上端面には、洗浄水制御部１１への信号線４１に接続する固定部材端子５２が設けられている。固定ボルト３１によって便座部本体２１と便器１０が連結固定されると、便座端子５１と結合部材端子５２が接続し、着座センサ６０からの信号が信号線４２−端子５１・５２―信号線４２を介して洗浄水制御部１１へと入力されるようになる。
【００１７】
図３は、本願発明の便器自動洗浄装置における別の実施形態を例示した模式図である。この図３の例では、便座部本体２１は、固定ボルト３１によって便器１０に固定された固定プレート３２を介して便器１０に連結固定されている。便座部本体２１の便座端子５１と相対する固定部レート３２の上端面には結合部材端子５２が配設されている。固定ボルト３１および固定プレート３２によって便座部本体２１を便器１０に連結固定した状態で、便座端子５１と結合部材端子５２が接続し、着座センサ６０からの信号が信号線４２−端子５１・５２―信号線４２を介して洗浄水制御部１１へと入力されるようになる。
【００１８】
なお、本願発明は以上の例によって限定されるものではなく、細部については様々な態様が可能であることは言うまでもない。例えば、便器１０と便座部本体２１との結合部材についても、便座端子５１と結合部材端子５２が接触可能となることを条件として、様々な形態のものを採用することができる。
【図面の簡単な説明】
【００１９】
【図１】本願発明の便器自動洗浄装置を備えた便器構成の一実施例を示した側面図である。
【図２】図１に例示した便器構成における便座部と便器との連結固定状態を示した模式図である。
【図３】本願発明における便座部と便器との別の連結固定状態を示した模式図である。
【図４】従来技術を例示した便器斜視図である。
【符号の説明】
【００２０】
１０  便器
１１  洗浄水制御部
２０  便座部
２１  便座部本体
２２  便座カバー
２３  便座
３１  固定ボルト
３２  固定プレート
４１、４２  信号線
５１  便座端子
５２  結合部材端子
６０  着座センサー
【図１】
2006299744.tif 000003
【図２】
2006299744.tif 000004
【図３】
2006299744.tif 000005
【図４】
2006299744.tif 000006